(57)【要約】【課題】解決しようとする課題は、巻線型誘導モーターの有する回転子に誘起される誘導起電力をスリップリングに介して出力として取出し利用できると言う、優れた構造上の特徴を応用した巻線型誘導モーターの利用の分野である。【解決手段】上記に記す巻線型誘導モーターの有する、優れた構造上の特徴を応用し、モーター制御をインバーターで行い、スリップリングを介して出力される誘導起電力を整流機構とパワーコンディショナからなる装置で効率良く回収し、システム化することで、再び商用電源あるいは電気エネルギーとして利用する。【選択図】図１
2005204490.tif 000002
【特許請求の範囲】
【請求項１】
巻線型誘導モーター（６）の駆動制御に於いて、商用電源あるいは入力電源の交流を直流に変換するためのコンバーターモジュール（１）と変換された直流電圧を平滑にするための大容量コンデンサを用いた平滑回路（２）、直流を交流に変換するためのインバーターモジュール（３）及び、これらの系統保護機能、制御回路（４）から構成されるインバーターを介して巻線型誘導モーター（６）の１次側となる固定子に入力し、同固定子に形成される回転磁界の制御を行う。前記、回転磁界によって２次側となる回転子に誘起される誘導起電力を同回転子の回転軸に設けたスリップリングを介して取出し、交流である誘導起電力を直流に変換するためのコンバーターモジュール（１）と変換された直流電圧を平滑にするための大容量コンデンサを用いた平滑回路（２）に、直流を交流に変換するためのインバーターモジュールと電圧、電力自動調整機能及び、これらの系統保護機能、制御回路から構成されるパワーコンディショナ（５）を介して商用電源あるいは入力電源と同じ交流に変換することで、巻線型誘導モーター（６）の駆動制御を容易に行えると同時に、前記、回転子に誘起される誘導起電力を効率良くを回収し商用電源あるいは電気エネルギーとして利用できるようにしたことを特徴とする巻線型誘導モーター電力回収システム。
【発明の詳細な説明】
【技術分野】
【０００１】本発明は巻線型誘導モーターの有する構造上の特徴を応用した電力回収システムに関するものである。
【背景技術】
【０００２】巻線型誘導モーターは、クレーンなどの駆動制御用モーターとして広く利用されているのは周知の通りである。【０００３】上記モーターの構成は１次側となる数極のコイルから構成される固定子に交流を入力すると同固定子のコイルに回転磁界が形成される、回転磁界は２次側となる数極のコイルから構成される回転子に磁界の変化を与え、同回転子のコイルに誘導起電流が誘起され、回転力が生じる、同回転子の回転軸に設けたスリップリングを介して、出力される誘導起電流を可変抵抗器に負荷として回路を構成することで抵抗を任意に調整し、モーターの回転数及び回転トルクを任意に制御することのできる、優れた技術である。【０００４】しかし近年、半導体の急速な進歩に伴うインバーターの普及により、モーターの制御方法が可変抵抗器を有する電気制御からインバーターを有する電子制御へ移行し始め、使用する駆動制御用モーターもかご型誘導モーターが汎用品となり、使用頻度の少なくなった巻線型誘導モーターの国内生産数は年々減少しているのが現状である。
【発明の開示】
【発明が解決しようとする課題】
【０００５】解決しようとする課題は、巻線型誘導モーターの有する回転子に誘起される誘導起電力をスリップリングに介して出力として取出し利用できると言う、優れた構造上の特徴を応用した巻線型誘導モーターの利用の分野である。
【課題を解決しようとする課題】
【０００６】本発明は上記に記す巻線型誘導モーターの有する、優れた構造上の特徴を応用し、スリップリングを介して出力される誘導起電力を効率良く回収し、システム化することで、再び商用電源あるいは電気エネルギーとして利用することを最も主要な目的としている。
【発明の効果】
【０００７】本発明の巻線型誘導モーター電力回収システムは、誘導モーターで駆動する機械あるいは装置であれば全てに対応が可能であり、回転子に誘起される誘導起電力がスリップリングを介して出力され効率良く回収されるため、巻線型誘導モーターの駆動は、そのまま一種の発電装置となり省電力化システムとして広く応用することが可能であり、消費電力の大幅な削減または大幅な資源エネルギーの節約に貢献することができる。
【発明を実施するための最良の形態】
【０００８】本発明の巻線型誘導モーター電力回収システムを実施するための最良の形態について図面を参照して説明する。
【実施例１】
【０００９】図１は、本発明の巻線型誘導モーター電力回収システムを記す系統図である。【００１０】交流を直流に変換するためのコンバーターモジュール（１）と変換された直流電圧を平滑にするための大容量コンデンサを用いた平滑回路（２）、直流を交流に変換するためのインバーターモジュール（３）及び、これらの系統保護機能、制御回路（４）から構成されるインバーターに商用電源を入力し、前記インバーターを介して、任意に変換された交流を巻線型誘導モーター（６）の１次側となる固定子に入力し、任意の制御を行う。【００１１】巻線型誘導モーター（６）の２次側となる回転子に誘起される誘導起電力をスリップリングに介して出力として取出し、交流である誘導起電力を直流に変換するためのコンバーターモジュール（１）と変換された直流電圧を平滑にするための大容量コンデンサを用いた平滑回路（２）に、直流を交流に変換するためのインバーターモジュールと電圧、電力自動調整機能及び、これらの系統保護機能、制御回路から構成されるパワーコンディショナ（５）を介して商用電源に変換し回収することでモーターの駆動と同時に２次側より出力される誘導起電力を効率良く回収し、電力として利用することのできる電力回収システムであり、消費電力の節減、資源エネルギーの節約に大きく貢献することができる。
【産業上の利用可能性】
【００１２】本発明の巻線型誘導モーター電力回収システムに於ける産業上の利用可能性について、以下に記載する。【００１３】誘導モーターは現在、各産業に於いて最も多く利用されている機械の１つであり、本発明の巻線型誘導モーター電力回収システムは基本的には現在、誘導モーターで駆動している機械及び、装置であれば全てに対応することが可能である。【００１４】圧縮機、ポンプは常時、定速連続運転の設備が多く、年間に消費する電気料金は大きなコストとなっている、本発明の巻線型誘導モーター電力回収システムは大幅な電気料金の削減が可能であり、コスト削減に役立つ。【００１５】大規模な化学プラント工場などでは、多くの誘導モーターが設置されており、本発明の巻線型誘導モーター電力回収システムで効率良く電力を回収することで発電設備に相当する電力を回収することが可能である。【００１６】本発明の巻線型誘導モーター電力回収システムをオフィスビル、マンション、大病院などに設置された大型空調設備のコンプレッサーの駆動に利用することで、空調設備と同時に電力を回収できるため、昨今、問題となっている夏場の電力不足を回避することが可能である。【００１７】本発明の巻線型誘導モーター電力回収システムは誘導型巻線モーターが駆動するための絶対条件として電力を回収するシステムであり、誘導モーターが駆動し仕事をするために電力回収を行うため総合的な効率が高く、資源エネルギーの節約、二酸化炭素の削減に大きく貢献することが可能である。
【図面の簡単な説明】
【００１８】
【図１】本発明の巻線型誘導モーター電力回収システムを記す系統図である。
【符号の説明】
【００１９】１      コンバーターモジュール
２      平滑回路
３      インバーターモジュール
４      制御回路
５      パワーコンディショナ
６      巻線型誘導モーター
【図１】
2005204490.tif 000003